(57)【要約】【課題】E-UTRANで待ち受けている場合に、E-UTRANを経由してCS系サービスのイベントを受信したとき、CS系のアクセス網に好適にイベントに対する応答を送信することができるようにする。【解決手段】本発明の移動無線端末においては、無線送受信部は、回線交換網に属する基地局と無線信号を用いて送受信し、回線交換網に接続され、回線交換網とともに１つの統合通信網を形成する移動体通信網に属する基地局と無線信号を用いて送受信し、制御部は、移動体通信網に属する基地局で待ち受ける場合に、無線送受信部を起動し、回線交換網に属する基地局との同期を維持するように制御することを特徴とする。【選択図】  図１０
2010063014.tif 000002
【特許請求の範囲】
【請求項１】
回線交換網に属する基地局と無線信号を用いて送受信する回線交換網送受信手段と、
前記回線交換網に接続され、前記回線交換網とともに１つの統合通信網を形成する移動体通信網に属する基地局と無線信号を用いて送受信する移動体通信網送受信手段と、
前記移動体通信網に属する基地局で待ち受ける場合に、前記回線交換網送受信手段を起動し、前記回線交換網に属する基地局との同期を維持するように制御する制御手段とを備えることを特徴とする移動無線端末。
【請求項２】
前記制御手段は、前記移動体通信網に属する基地局で待ち受ける場合に前記移動体通信網により指定される間欠受信周期で実行される前記移動体通信網送受信手段による間欠受信処理の間に、前記回線交換網送受信手段を起動し、前記回線交換網に属する基地局との同期を維持するように制御することを特徴とする請求項１に記載の移動無線端末。
【請求項３】
前記制御手段は、前記移動体通信網に属する基地局で待ち受ける場合に、前記回線交換網により指定される間欠受信周期と同期または非同期で前記回線交換網送受信手段を起動し、前記回線交換網に属する基地局との同期を維持するように制御することを特徴とする請求項１に記載の移動無線端末。
【請求項４】
前記回線交換網との同期を取得するためのタイミングの基準となる同期処理クロックを生成する同期処理クロック生成手段をさらに備え、
前記制御手段は、前記同期処理クロック生成手段により生成された前記同期処理クロックに基づいて前記回線交換網送受信手段を起動することを特徴とする請求項１に記載の移動無線端末。
【請求項５】
前記同期処理クロック生成手段は、前記回線交換網に属する基地局との前回の同期維持処理時に前記制御手段により設定される同期間隔で、前記同期処理クロックを生成することを特徴とする請求項４に記載の移動無線端末。
【請求項６】
前記制御手段は、前記回線交換網に属する基地局から送られてくる同期フレームを前記回線交換網送受信手段を介して取得し、前記回線交換網に属する基地局から送られてくる無線フレームの境界と前記同期フレームとの誤差が所定の範囲内であるか否かを判断し、
前記同期間隔は、この判断結果に基づいて可変に設定可能であることを特徴とする請求項５に記載の移動無線端末。
【請求項７】
前記制御手段は、前記移動体通信網に属する基地局で待ち受ける場合に前記回線交換網からのイベントが発生したとき、前記回線交換網送受信手段を起動し、
前記回線交換網送受信手段は、同期が維持された前記回線交換網に属する基地局に前記イベントに対する応答を送信することを特徴とする請求項１に記載の移動無線端末。
【請求項８】
前記移動体通信網との間で間欠受信するための移動体通信網間欠受信クロックを生成する移動体通信網間欠受信クロック生成手段をさらに備え、
前記制御手段は、前記移動体通信網間欠受信クロック生成手段により生成された前記移動体通信網間欠受信クロックに基づいて前記移動体通信網送受信手段を起動するとともに、前記移動体通信網の無線フレームと前記回線交換網の無線フレームとのずれ量に基づいて、前記回線交換網との同期を取得するか否かを判断し、前記回線交換網との同期を取得すると判断した場合、前記回線交換網送受信手段を起動し、前記回線交換網に属する基地局との同期を維持するように制御することを特徴とする請求項１に記載の移動無線端末。
【請求項９】
前記制御手段は、前記移動体通信網の無線フレームと前記回線交換網の無線フレームとのずれ量が前記回線交換網との同期を取得する同期ウィンドウの所定の値に到達したか否かを判断することにより、前記回線交換網との同期を取得するか否かを判断することを特徴とする請求項８に記載の移動無線端末。
【請求項１０】
前記制御手段は、前記移動体通信網との間で間欠受信ごとに、前記移動体通信網の無線フレームと前記回線交換網の無線フレームとのずれ量を加算することを特徴とする請求項８または９に記載の移動無線端末。
【請求項１１】
前記回線交換網に属する基地局間で同期し、かつ、前記移動体通信網に属する基地局間で同期する場合、前記移動無線端末の待ち受け先の基地局が前記移動体通信網に属する第１の基地局から第２の基地局に遷移したとき、前記制御手段は、前記第１の基地局との間での間欠受信時に取得された、前記移動体通信網の無線フレームと前記回線交換網の無線フレームのずれ量に基づいて、前記回線交換網に属する基地局との同期を維持するように制御することを特徴とする請求項８に記載の移動無線端末。
【請求項１２】
前記回線交換網に属する基地局間で非同期である場合、前記制御手段は、前記移動無線端末の待ち受け先の基地局が遷移する度に、遷移後の前記基地局との間での間欠受信時に取得された、前記移動体通信網の無線フレームと前記回線交換網の無線フレームのずれ量に基づいて、前記回線交換網に属する基地局との同期を維持するように制御することを特徴とする請求項８に記載の移動無線端末。
【請求項１３】
前記移動体通信網に属する基地局間で非同期である場合、前記制御手段は、前記移動無線端末の待ち受け先の基地局が遷移する度に、遷移後の前記基地局との間での間欠受信時に取得された、前記移動体通信網の無線フレームと前記回線交換網の無線フレームのずれ量に基づいて、前記回線交換網に属する基地局との同期を維持するように制御することを特徴とする請求項８に記載の移動無線端末。
【請求項１４】
前記移動体通信網の無線フレームと前記回線交換網の無線フレームのずれ量には、移動体通信網と前記回線交換網との間の無線フレーム境界のずれ量と、前記移動体通信網の無線フレームと前記回線交換網の無線フレーム間で発生するドリフト量が含まれることを特徴とする請求項８に記載の移動無線端末。
【請求項１５】
前記回線交換網送受信手段と前記移動体通信網送受信手段とは１ユニット化され、
前記制御手段は、前記移動体通信網送受信手段による前記移動体通信網との間で間欠受信と連続して、前記回線交換網送受信手段を起動し、前記回線交換網に属する基地局との同期を維持するように制御することを特徴とする請求項１に記載の移動無線端末。
【請求項１６】
前記回線交換網には、少なくとも、UTRAN、GERAN、およびcdma2000 1x CSアクセス網のいずれか１つ以上が含まれることを特徴とする請求項１に記載の移動無線端末。
【請求項１７】
前記回線交換網送受信手段と前記移動体通信網送受信手段は独立して動作可能であり、前記回線交換網送受信手段による前記回線交換網との間での同期取得処理の時間帯と、前記移動体通信網送受信手段による前記移動体通信網との間で間欠受信処理の時間帯とが一部または全部で重複することを特徴とする請求項１に記載の移動無線端末。
【請求項１８】
少なくともUTRAN、GERAN、およびcdma2000 1x CSアクセス網のいずれか１つ以上が含まれる回線交換網に属する基地局と無線信号を用いて送受信する回線交換網送受信手段と、
前記回線交換網に接続され、前記回線交換網とともに１つの統合通信網を形成するE-UTRANに属する基地局と無線信号を用いて送受信する移動体通信網送受信手段と、
前記E-UTRANに属する基地局で待ち受ける場合に、前記回線交換網送受信手段を起動し、前記回線交換網に属する基地局との同期を維持するように制御する制御手段とを備えることを特徴とする移動無線端末。
【請求項１９】
前記統合通信網は、CS Fallback機能を有することを特徴とする請求項１８に記載の移動無線端末。
【請求項２０】
前記回線交換網はcdma2000 1x CSアクセス網であり、
前記制御手段は、sync channelの無線フレームを用いて、前記回線交換網としてのcdma2000 1x CSアクセス網に属する基地局との同期を維持するように制御することを特徴とする請求項１８に記載の移動無線端末。
【発明の詳細な説明】
【技術分野】
【０００１】
本発明は移動無線端末に係り、特に、E-UTRANで待ち受けている場合に、E-UTRANを経由してCS系サービスのイベントを受信したとき、CS系のアクセス網に接続することができるようにした移動無線端末に関する。
【背景技術】
【０００２】
第３世代携帯電話規格の標準化団体である３ＧＰＰによって規定されている3GPP TS23.272 V8.0.0（以下、「TS23.272」という）では、E-UTRAN（Evolved Universal Terrestrial Radio Access Network）と、回線交換網（CS網）を有する移動体通信網（例えばUTRAN（Universal Terrestrial Radio Access Network）やGERAN（GSM/EDGE Radio Access Network）、cdma2000 1x CSアクセス網（以下、「1x CSアクセス網」という）など）とが統合されたEPS（Evolved Packet System）において、移動無線端末（UE: User Equipment）がE-UTRANで待ち受けている際にCSサービスを実施する場合での協調動作（CS Fallback）方法が規定されている。
【０００３】
図１は、CS Fallback機能を有するEPSの概略を示している。図１に示されるように、EPSはE-UTRANと、CSサービスを提供するアクセス網としてのUTRANとGERANを有し、これらは各インタフェースを介してCN（Core Network）内のMSC（Mobile-services Switching Center）Serverに接続されている。勿論、EPSは、E-UTRANと、CSサービスを提供するアクセス網としてのUTRANとGERANを有するようにしているが、1x CSアクセス網を有するようにしてもよい。
【０００４】
CS Fallback機能を有するEPSにおいては、移動無線端末は通常E-UTRANで待ち受けを実施する。そして、移動無線端末は、EPS側からのCS着信通知や移動無線端末内のサービス要求などのCS系サービスのイベント（CS発信、CS着信、CS SMS(Short Message Service)等）が発生した場合に、CSサービスを実施するためにUTRANやGERAN、または1x CSアクセス網に接続し、これらの網との間で情報を送受信する。§6.4, 7.2では、E-UTRAN基地局で待ち受けていた移動無線端末が、CSサービスを提供するUTRANまたはGERANへ発信と着信を実施する処理について解説している。図２は、E-UTRAN基地局で待ち受けていた移動無線端末がCS着信を受けて、UTRANまたはGERAN側に対して接続する際のシーケンスを示している。また、1x CSアクセス網へ接続も同様に、Annex B2.2, B2.3にて解説されている。
【０００５】
図３は、移動無線端末がE-UTRANで待ち受けている場合に1x CSアクセス網に対して発信する際の移動無線端末とEPSの各構成間の処理のシーケンスを示している。図４は、移動無線端末がE-UTRANで待ち受けている場合に1x CSアクセス網からの着信を処理する際の移動無線端末とEPS各構成間の処理のシーケンスを示している。このようにTS23.272によれば、移動無線端末はE-UTRANで待ち受けてさえいれば、CS Fallback機能を用いることで、CS系のアクセス網に対して待ち受けすることなくE-UTRAN自身が直接提供しないCS系サービスを利用することができる。
【非特許文献１】3GPP TS23.272 V8.0.0
【発明の開示】
【発明が解決しようとする課題】
【０００６】
3GPP TS23.272 V8.0.0では、移動無線端末がE-UTRANで待ち受けている場合、移動無線端末はCS系サービスのイベントがあったときに初めて1x CSアクセス網への接続を開始する。そのため、移動無線端末は通常E-UTRANだけに待ち受けを実施しておけばよく、1x CSアクセス網に対する待ち受けを実施する必要がなく、従って、E-UTRAN以外のアクセス網に対しては必要な場合にのみ移動無線端末内のE-UTRAN以外の回路を起動し、同期、報知情報受信、およびメッセージ送受信を実施しさせすればよい。このように移動無線端末がE-UTRANだけで待ち受けしている状態は、移動無線端末にて低消費電力化を図るという観点から好ましい。
【０００７】
しかしながら、E-UTRANと例えばUTRANのようなCS系のアクセス網との間ではネットワーク間の同期が取られていない。そのため、E-UTRANの同期タイミングからCS系のアクセス網の同期タイミングを割り出すことはできず、CS系サービスの要求があった後にUTRANの同期を最初から取る必要がある。その結果、CS系サービスが開始するまでに時間がかかってしまうという課題があった。勿論、E-UTRANと1x CSアクセス網の場合についても同様の課題が発生する。
【０００８】
以下、上述した課題について具体的に説明する。図２では、移動無線端末がE-UTRANで待ち受けを実施している場合に移動無線端末がCS着信を認識した場合のシーケンスが規定されているが、ここでは、CS系のアクセス網側（UTRAN、GERAN、または1x CSアクセス網）に対しては待ち受けが実施されていない。そのため、移動無線端末は、図２の6.でCS着信の通知（Paging）を受けた後に初めてCS系のアクセス網側への接続を開始する。図５は、CS着信の通知（Paging）を受けた場合における移動無線端末側の時系列的な処理を示している。ここで、移動無線端末は、E-UTRANに接続する機能を有するE-UTRAN L1部と、1x CSアクセス網に接続する機能を有する1x CSアクセス網L1部を備える。E-UTRAN L1部とU1x CSアクセス網L1部は無線インタフェースの下位のプロトコルであり、これらの処理は移動無線端末の通信制御系のCPUによって統括されているものとする。
【０００９】
図５に示されるように、移動無線端末はE-UTRAN L1部を用いてE-UTRANだけに待ち受けを実施しており、移動無線端末は、E-UTRAN L1部を用いてPage Indicator Channelを使用した間欠受信動作を行う。図５に示されるように、E-UTRAN基地局は、CS Fallback機能により、CS着信の有無を通信するためにPaging Indicatorを送信する。移動無線端末のE-UTRAN L1部は、CS着信通知があったことを認識すると、CPUにCS着信通知があったことを伝達する。CPUは、CS着信を受けるために無線その他の処理を1x CSアクセス網L1部にて実行させるためにE-UTRAN L1部から1x CSアクセス網L1部への切り替えを指示し、1x CSアクセス網で通信ができるように無線部その他を起動する。
【００１０】
ところが、移動無線端末は、CS着信の応答（Paging response）を1x CSアクセス網に対して返すために、移動無線端末の1x CSアクセス網L1部にて基地局を探索して同期を取得し、報知情報を受信しなければならない。これら一連の処理を行うのに要する時間は、移動無線端末の構成にもよるが、移動無線端末内の無線ソフトウェア間の処理のオーバーヘッドなどを含めると数秒程度要する場合もある。さらに、Pagingを受信してからPaging responseまでの時間が長くなってしまうと、EPS側で移動無線端末側からのPaging responseを待つタイマがタイムアウトしてしまい、その結果、この移動無線端末への着信がかからない恐れがあり得る。また、同様の理由でCS発信時など他のCSサービスの場合にも問題があり、特に移動無線端末がCS発信として緊急呼発信をする場合に発信動作が遅れてしまうと、最悪の場合、緊急発信相手先に電話がかからないという不快感をユーザに持たせてしまう恐れがある。
【００１１】
本発明は、このような状況に鑑みてなされたものであり、E-UTRANで待ち受けている場合に、E-UTRANを経由してCS系サービスのイベントを受信したとき、CS系のアクセス網に好適にイベントに対する応答を送信することができる移動無線端末を提供することを目的とする。
【課題を解決するための手段】
【００１２】
本発明の移動無線端末は、上述した課題を解決するために、回線交換網に属する基地局と無線信号を用いて送受信する回線交換網送受信手段と、回線交換網に接続され、回線交換網とともに１つの統合通信網を形成する移動体通信網に属する基地局と無線信号を用いて送受信する移動体通信網送受信手段と、移動体通信網に属する基地局で待ち受ける場合に、回線交換網送受信手段を起動し、回線交換網に属する基地局との同期を維持するように制御する制御手段とを備えることを特徴とする。
【００１３】
本発明の移動無線端末は、上述した課題を解決するために、少なくともUTRAN、GERAN、およびcdma2000 1x CSアクセス網が含まれる回線交換網に属する基地局と無線信号を用いて送受信する回線交換網送受信手段と、回線交換網に接続され、回線交換網とともに１つの統合通信網を形成するE-UTRANに属する基地局と無線信号を用いて送受信する移動体通信網送受信手段と、E-UTRANに属する基地局で待ち受ける場合に、回線交換網送受信手段を起動し、回線交換網に属する基地局との同期を維持するように制御する制御手段とを備えることを特徴とする。
【発明の効果】
【００１４】
本発明によれば、E-UTRANで待ち受けている場合に、E-UTRANを経由してCS系サービスのイベントを受信したとき、CS系のアクセス網に好適にイベントに対する応答を送信することができる。
【発明を実施するための最良の形態】
【００１５】
以下、本発明の実施の形態について、図面を参照しながら説明する。
【００１６】
本発明に係る移動無線端末は、E-UTRANの基地局とCS系のアクセス網の基地局のいずれにも通信することができる。また、本発明が対象とする移動通信網は、TS23.272に記載のEPSのように、E-UTRANとCS系のアクセス網とが１つの統合されたネットワークとして構成され、かつ協調できるようにEPSの構成要素のそれぞれが接続されており、E-UTRANで待ち受ける移動無線端末がCSサービスを利用することができるように構成されている。なお、本発明の実施形態においては、EPSなどのようにE-UTRANとCS系のアクセス網とが１つの統合されたネットワークを「統合通信網」と定義する。
【００１７】
［第１実施形態］
図６は、本発明の第１の実施形態に係る移動無線端末１の内部の構成を表している。移動無線端末１は主に、アンテナ３１、無線送受信部３２、信号処理部３３、制御部３９、記憶部４０、E-UTRAN間欠受信クロック生成部４３、およびCS系アクセス網方式同期処理クロック生成部４４などを備える。
【００１８】
移動無線端末１は、E-UTRAN方式とCS系アクセス網方式のいずれの移動無線通信システムによっても音声通信やデータ通信を行うことが可能であり、アンテナ３１、無線送受信部３２、および信号処理部３３はこれらの両方式に対応している。また、CS系アクセス網方式はいくつかの方式を取ることができ、例えばUTRAN、 GERAN、または1x CSアクセス網などを用いた方式を取ることができる。本発明の実施形態においては、CS系アクセス網方式として例えば1x CSアクセス網方式を取った場合について明示的に記載する。
【００１９】
無線送受信部３２は、アンテナ３１を介して、移動通信網に収容される基地局BSとの間でE-UTRAN方式もしくは1x CSアクセス網方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００２０】
信号処理部３３は、DSP（Digital Signal Processor）などにより構成され、受信ベースバンド信号に所定の信号処理を施し、所定の伝送フォーマットの受信パケットデータを得る。また、信号処理部３３は、受信パケットデータに含まれる音声信号を復調し、この復調結果を復号して音声データなどを得る。一方、信号処理部３３は、送話音声信号を符号化し、符号化によって得た音声データやその他のデータに基づいて変調信号を生成するとともに、生成された変調信号を無線送受信部３２に出力する。
【００２１】
制御部３９は、CPU（Central Processing Unit）、ROM（Read Only Memory）、およびRAM（Random Access Memory）などからなり、CPUは、ROMに記憶されているプログラムまたは記憶部４０からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。具体的には、無線送受信部３２が用いるキャリア周波数を制御し、無線送受信部３２での受信結果に基づいてパイロット信号の探索を行う。RAMは、CPUが各種の処理を実行する上において必要なデータなどを適宜記憶する。
【００２２】
制御部４１には、必要に応じて１または複数のCPUが備えられる。なお、本発明の実施形態では、２つのCPUが備えられる例を示すが、これに限定されず、１つのＣＰＵで実施するように制御してもよいし、３つ以上のCPUで実施するようにしてもよい。通信系制御部３９ａは、図示せぬ通信処理CPUを備え、通信処理に用いる制御を行う。通信系制御部３９ａは、アンテナ３１、送受信部３２、信号処理部３３、ＰＣＭコーデック３４、受話増幅器３５、および送話増幅器３７などを用いた通信処理を制御する。一方、ＵＩ系制御部３９ｂは、図示せぬＵＩ処理CPUを備え、記憶部４０、操作部４１、表示部４２、時計回路４７などを用いたＵＩ処理に関して制御を行う。
【００２３】
移動無線端末１の通信系制御部３９ａは、E-UTRANに接続する機能を有するE-UTRAN L1部と、1x CSアクセス網に接続する機能を有する1x CSアクセス網L1部を備える。E-UTRAN L1部と1x CSアクセス網L1部は無線インタフェースの下位のプロトコルであり、これらの処理は移動無線端末１の通信処理CPUによって統括されているものとする。
【００２４】
記憶部４０は、例えば、電気的に書換えや消去が可能な不揮発性メモリであるフラッシュメモリ素子やHDD（Hard Disc Drive）などからなり、制御部３９のCPUにより実行される種々のアプリケーションプログラムや種々のデータ群、移動無線端末１の制御プログラムや制御データ、移動無線端末１またはユーザに固有に割り当てられた識別情報を格納する。この他にも、記憶部４０は、名前と電話番号を対応づけた電話帳データや、データ通信により取得したデータやダウンロードしたデータを適宜記憶する。電源回路４６は、バッテリ４５の出力を基に所定の動作電源電圧Ｖｃｃを生成して各回路部に供給する。移動無線端末１には、現在の時刻を測定する時計回路（タイマ）４７が設けられている。
【００２５】
E-UTRAN間欠受信クロック生成部４３は、E-UTRANとの同期や移動無線端末１に報知されてくる着信情報の監視を実施する際の間欠受信を行うためのE-UTRAN間欠受信クロックを生成し、生成されたE-UTRAN間欠受信クロックを制御部３９に出力する。CS系アクセス網方式同期処理クロック生成部４４は、CS系アクセス網方式（例えば1x CSアクセス網方式）との同期を取得するための起床タイミングの基準となるCS系アクセス網方式同期処理クロックを生成し、生成されたCS系アクセス網方式同期処理クロックを制御部３９に出力する。
【００２６】
なお、移動無線端末１は、受話増幅器３５、受話音声信号を拡声出力するスピーカ３６、送話増幅器３７、送話音声信号を入力するマイクロホン３８、ユーザに要求を受け付ける操作部４１、および受信データに基づく画像を表示する表示部４２を備える。
【００２７】
次に、図７は、図６の移動無線端末１における、E-UTRANで待ち受けている場合での1x CSアクセス網同期取得動作を示している。本発明に係る移動無線端末１は、E-UTRANで待ち受けを実施し、通信系制御部３９ａのE-UTRAN L1部は、E-UTRAN基地局との同期維持および着信を監視するためにE-UTRANより指定される間欠受信周期（DRXE-UTRAN）を用いて間欠起床をして間欠受信を行うとともに、通信系制御部３９ａの1x CSアクセス網L1部は、E-UTRANの間欠受信（間欠起床）の合間に1x CSアクセス網との同期を維持するために1x CSアクセス網同期取得起床を行う。
【００２８】
図８のフローチャートを参照して、図６の移動無線端末１における、E-UTRANで待ち受けている場合での1x CSアクセス網同期取得動作についてさらに説明する。ステップＳ１において、時計回路４７を用いて設定されているタイマが満了した場合、CS系アクセス網方式同期処理クロック生成部４４は、1x CSアクセス網方式との同期を取得するための起床タイミングの基準となるCS系アクセス網方式同期処理クロックを生成し、生成されたCS系アクセス網方式同期処理クロックを制御部３９に出力する。ステップＳ２において、通信系制御部３９ａの1x CSアクセス網L1部は、CS系アクセス網方式同期処理クロック生成部４４からのCS系アクセス網方式同期処理クロックに基づいて、1x CSアクセス網との同期を維持するために1x CSアクセス網同期取得起床を行う。ステップＳ３において、通信系制御部３９ａの1x CSアクセス網L1部は、無線送受信部３２および信号処理部３３を制御し、1x CSアクセス網基地局BSから送られてくる無線フレームの同期を取得し、同期フレーム（1x CSアクセス網の場合、Sync channelの無線フレーム）を取得する。これにより、1x CSアクセス網との同期を維持することができる。
【００２９】
ステップＳ４において、通信系制御部３９ａの1x CSアクセス網L1部は、1x CSアクセス網と同期を維持するための次回の同期起床間隔を所定の値（一定値）に設定する。ステップＳ５において、通信系制御部３９ａの1x CSアクセス網L1部は、時計回路４７を用いて、同期起床間隔用のタイマをリセットする。ステップＳ６において、通信系制御部３９ａの1x CSアクセス網L1部は、設定された次回の同期起床間隔を用いて同期起床間隔用のタイマを時計回路４７に設定する。ステップＳ７において、時計回路４７は、設定された同期起床間隔用のタイマのカウント動作を開始する。ステップＳ８において、通信系制御部３９ａの1x CSアクセス網L1部は、無線送受信部３２および信号処理部３３を制御し、1x CSアクセス網用の回路を停止するとともに、通信系制御部３９ａの1x CSアクセス網L1部はSleepする。その後、処理はステップＳ１に戻り、ステップＳ１以降の処理が繰り返し実行される。
【００３０】
ここで、1x CSアクセス網同期取得起床は、E-UTRANのように着信監視のための間欠起床と異なり、同期維持の目的で1x CSアクセス網の基地局の同期取得を実施する起床である。そのため、1x CSアクセス網の着信通知サイクルと関係なく移動無線端末１の独自のサイクル(周期)で起床し、1x CSアクセス網との同期を維持するために起床を実施することができる。すなわち、1x CSアクセス網の同期処理は、1x CSアクセス網から指示される間欠受信周期（DRX 1x CS）では起床しなくてよく、任意のサイクルで実施することができる。従って、図７に示されるように、1x CSアクセス網との同期維持のための起床間隔（TSYNC,k）は、それぞれの1x CSアクセス網同期取得起床のタイミングでTSYNC,kを再設定することによって各回で異なる起床間隔で1x CSアクセス網同期取得起床することができる。すなわち、たとえTSYNC,k≠TSYNC,k+1であっても許容される。同期維持の目的でUTRANとの間欠起床処理が発生し得るが、起床間隔TSYNC,kは移動無線端末１が1x CSアクセス網と同期を維持することができる限り最大の起床間隔に設定することが可能であり、その結果、1x CSアクセス網との同期に必要な消費電力を最小限に抑えることができる。
【００３１】
以下に、1x CSアクセス網との同期維持のための起床間隔の具体的な補正方法について説明する。本発明の移動無線端末１においては、同期取得起床のタイミングを適応的に変化させることが可能である。通信系制御部３９ａの1x CSアクセス網L1部は、同期取得起床して1x CSアクセス網基地局BSから送られてくる無線フレームの同期を取得した際、同期フレーム（1x CSアクセス網の場合にはSync channelの無線フレーム）を取得するが、移動無線端末１内部のクロックのずれなどにより実際の1x CSアクセス網基地局BSから送られてくる無線フレームの境界との誤差が発生する。そこで、1x CSアクセス網L1部の同期取得起床時に、フレームの同期を取得するとともにこの誤差を補正する。次に、この誤差がある一定のしきい値（Max_sync_diff）以上である場合、移動無線端末１内部クロックから計算される誤差が大きいと判断し、次回の同期取得起床間隔（間欠起床周期）を短縮するように設定する。一方、この誤差がある一定のしきい値（Min_sync_diff）よりも小さい場合、移動無線端末１内部のクロックにより、現在の同期取得起床間隔で1x CSアクセス網との間で十分な同期が取れていると判断し、次回の同期取得起床間隔（間欠起床周期）を長く設定する。なお、この誤差がしきい値（Max_sync_diff）としきい値（Min_sync_diff）との間にある場合には、現在の同期取得起床間隔が維持される。このようにすることで、1x CSアクセス網と同期を十分に取りながら、移動無線端末１の低消費電力化を図ることができる。以下、1x CSアクセス網との同期維持のための起床間隔が適宜変更される場合での、E-UTRANで待ち受けているときの1x CSアクセス網同期取得動作の詳細について説明する。
【００３２】
図９のフローチャートを参照して、1x CSアクセス網との同期維持のための起床間隔が適宜変更される場合での、図６の移動無線端末１におけるE-UTRANで待ち受けているときの1x CSアクセス網同期取得動作の詳細について説明する。なお、図９のステップＳ２１乃至Ｓ２３、およびステップＳ２８乃至Ｓ３１の処理は、図８のステップＳ１乃至Ｓ３、およびステップＳ５乃至Ｓ８の処理と同様であり、その説明は繰り返しになるので省略する。
【００３３】
ステップＳ２３において通信系制御部３９ａの1x CSアクセス網L1部が同期フレームを取得すると、通信系制御部３９ａの1x CSアクセス網L1部はステップＳ２４で、実際の1x CSアクセス網基地局BSから送られてくる無線フレームの境界と取得された同期フレームとの誤差（すなわち、「同期ずれ」）が、ある一定のしきい値（Max_sync_diff）以上であるか否かを判定する。ステップＳ２４において通信系制御部３９ａの1x CSアクセス網L1部が、同期ずれがある一定のしきい値（Max_sync_diff）以上であると判定した場合、通信系制御部３９ａの1x CSアクセス網L1部はステップＳ２５で、移動無線端末１内部クロックから計算される誤差が大きいと判断し、1x CSアクセス網と同期を維持するための次回の同期取得起床間隔を所定の値短縮するように設定する。その後、処理はステップＳ２８に進む。
【００３４】
一方、ステップＳ２４において通信系制御部３９ａの1x CSアクセス網L1部が、同期ずれがある一定のしきい値（Max_sync_diff）以上ではないと判定した場合、通信系制御部３９ａの1x CSアクセス網L1部はステップＳ２６で、同期ずれがある一定のしきい値（Min_sync_diff）よりも小さいか否かを判定する。ステップＳ２６において通信系制御部３９ａの1x CSアクセス網L1部が、同期ずれがある一定のしきい値（Min_sync_diff）よりも小さいと判定した場合、通信系制御部３９ａの1x CSアクセス網L1部はステップＳ２７で、移動無線端末１内部のクロックにより現在の同期取得起床間隔で1x CSアクセス網との間で十分な同期が取れていると判断し、より移動無線端末１の低消費電力化を図るべく、1x CSアクセス網と同期を維持するための次回の同期取得起床間隔（間欠起床周期）を長く設定する。その後、処理はステップＳ２８に進む。
【００３５】
ステップＳ２６において通信系制御部３９ａの1x CSアクセス網L1部が、同期ずれがある一定のしきい値（Min_sync_diff）よりも大きいと判定した場合、通信系制御部３９ａの1x CSアクセス網L1部はステップＳ３２で、移動無線端末１内部のクロックにより現在の同期取得起床間隔で1x CSアクセス網との間で許容の範囲内で同期が取れていると判断し、現在の同期取得起床間隔を維持し、現在の同期取得起床間隔を次回の同期取得起床間隔に設定する。その後、処理はステップＳ２８に進む。
【００３６】
なお、本発明の実施形態においては、一定のしきい値（Max_sync_diff）と（Min_sync_diff）の２つを用いて同期取得起床間隔を維持または短縮・延長の設定をするようにしたが、しきい値をより多く設けるようにしてより高精細（多段階）に同期取得起床間隔を短縮・延長するようにしてもよい。これにより、1x CSアクセス網との同期をとりつつ、省電力化を好適に図ることができる。
【００３７】
以上のように、本発明の実施形態においては、E-UTRANで待ち受けている場合であっても、CS系のサービス開始時の処理時間の短縮を図ることができる。以下、図１０を用いて、本発明による改善効果について説明する。図１０は、E-UTRANで待ち受けている場合に、CS着信の通知（Paging）を受けた場合における移動無線端末１側の時系列的な処理を示している。図１０に示されるように、E-UTRANの間欠受信処理の合間に、通信系制御部３９ａの通信処理CPUにより1x CSアクセス網L1部を起動し、1x CSアクセス網との同期を維持することができる。そして、1x CSアクセス網との同期を維持することができている状態で、1x CSアクセス網でCS着信のPagingを受信したとする。この場合、従来方式と同様に通信系制御部３９ａの通信処理CPUにより1x CSアクセス網L1部を起動することになるが、送信対象の1x CSアクセス網の基地局情報や送信フレームのタイミングは、図８または図９を用いて説明した1x CSアクセス網同期取得起床動作によってすでに取得されている。そのため、1x CSアクセス網基地局への送信のためのRF回路の起動・設定の実施後に、1x CSアクセス網基地局BSの探索や報知情報の受信などの一連の処理を行うことなく、1x CSアクセス網との同期維持情報の再生と送信タイミングの算出を実施するだけでPaging responseを1x CSアクセス網に対して返すことができる。
【００３８】
本発明の実施形態によれば、Paging受信からPaging response送信までの時間を短縮でき、ネットワーク側の待ち時間を短縮するとともに、移動無線端末１に対して着信を掛けてきた相手の応答時間を短縮することができる。従って、E-UTRANで待ち受けている場合に、E-UTRANを経由してCS系サービスのイベントを受信したとき、CS系のアクセス網に好適にイベントに対する応答を送信することができる。
【００３９】
なお、上記においては、1x CSアクセス網をCS Fallback設定を行う対象としたが、同じようにCS系のアクセス網を有する移動体通信網（例えばUTRANやGERAN）についても同様に本発明を適用することができる。
【００４０】
［第２実施形態］
図１１は、発明の第２の実施形態に係る移動無線端末１の内部の構成を表している。本発明の第２実施形態においては、本発明の第１実施形態と異なり、移動無線端末１は、間欠受信を制御する移動無線端末１内部のクロック生成部をE-UTRANだけについて有しており、E-UTRANとの同期や移動無線端末１に報知されてくる着信情報の監視を実施する際の間欠受信を行うためのE-UTRAN間欠受信クロック生成部４３のみを備える。そして、本発明の第２実施形態においては、E-UTRANの間欠受信周期（DRXE-UTRAN）をカウントすることによって、1x CSアクセス網との同期取得のタイミングを計算する。すなわち、E-UTRAN間欠受信クロックの生成を利用することで、1x CSアクセス網との同期取得間隔の算出に必要なクロックを生成し、E-UTRAN側のクロックによって1x CSアクセス網側の同期取得起床のタイミングを計算する。従って、1x CSアクセス網用の回路は、同期取得のタイマカウンタ動作を含めて同期取得時以外に一切起動されない。なお、図１１の構成は図６の構成と基本的に同様であり、その説明は繰り返しになるので省略する。
【００４１】
次に、図１２乃至図１４を用いて、E-UTRAN側のクロック制御のみで1x CSアクセス網と同期を維持するために1x CSアクセス網用の回路を駆動させる方法について説明する。前提として、E-UTRAN基地局間では基地局間同期がとれており、かつ、1x CSアクセス網基地局間でも基地局間同期がとれているものとする。
【００４２】
まず、図１２は、E-UTRANの無線フレームと1x CSアクセス網の無線フレームの関係を示している。E-UTRANと1x CSアクセス網との間には、フレーム境界のタイミング差（T_offset）が存在するだけでなく、各々のアクセス網で計時に使用されるクロックが異なることにより発生する定常的なクロック差（δdrift）が存在する。図１２に示されるように、δdriftは定常的な偏差であることから、時間が経過するにつれてδdriftの積算値が大きくなる。そのため、移動無線端末１がE-UTRANで待ち受けを実施している場合に、E-UTRAN間欠受信クロック生成部４３により生成されるE-UTRAN間欠受信クロックを用いて1x CSアクセス網との同期を維持しようとするとき、このδdriftの積算値が大きくなると、1x CSアクセス網との同期がとれなくなる恐れが想定される。そこで、この観点から、E-UTRAN間欠受信クロックを用いて1x CSアクセス網との同期を取るようにする。
【００４３】
次に、図１３は、E-UTRANと1x CSアクセス網間の無線フレームオフセットおよびドリフト量の具体的な計測方法について説明する。δdriftは、E-UTRANと1x CSアクセス網のフレームのオフセットT_offsetから算出される。そのため、T_offsetをまず計算する。T_offsetは、E-UTRANの間欠受信の際にE-UTRANのフレーム境界タイミングを保存しておき、保存されたE-UTRANフレーム境界タイミングから1x CSアクセス網の同期取得を実施した際の同期チャネルフレームの先頭までの時間（T_1xCSAcq）を計測する。1x CSアクセス網との同期が得られていない場合、図１３に示されるように時間T_1xCSAcqには複数の1x CS同期チャネルフレームが跨って存在する。このことを考慮すると、E-UTRANのフレーム境界と1x CSアクセス網フレーム境界のオフセットT_offsetは数１にて計算される。
【００４４】
［数１］
T_offset = T_1xCS-Acq mod (1x CSアクセス網同期チャネルフレーム長)
【００４５】
数１においてある時に測定されたT_offsetをT_offset(k)とおくと、δdriftはk-1 回目とk回目で測定された値を用いて［数２］のように表される。
【００４６】
［数２］
δdrift = T_offset(k) - T_offset(k-1)
数２において、k-1回目とk回目の測定タイミングの間隔が、E-UTRANの間欠受信間隔DRXE-UTRANで実施されたとする。さらに、前回の1xCSアクセス網との同期からの経過時間から現在までのドリフト量の推定値Δ^は、数３にて計算される。
【００４７】
【数３】
2010063014.tif 000003
【００４８】
そこで、このΔ^に基づいて1x CSアクセス網との同期を取得するかを判定することができる。以下、この方法を用いた、E-UTRANで待ち受けているときのE-UTRAN間欠受信動作の詳細について説明する。
【００４９】
図１４のフローチャートを参照して、図６の移動無線端末１におけるE-UTRANで待ち受けているときのE-UTRAN間欠受信動作の詳細について説明する。
【００５０】
ステップＳ５１において、時計回路４７を用いて設定されているE-UTRAN間欠受信間隔用のタイマが満了した場合、E-UTRAN間欠受信クロック生成部４３は、E-UTRANとの同期や移動無線端末１に報知されてくる着信情報の監視を実施する際の間欠受信を行うためのE-UTRAN間欠受信クロックを生成し、生成されたE-UTRAN間欠受信クロックを制御部３９に出力する。ステップＳ５２において、通信系制御部３９ａのE-UTRAN L1部は、E-UTRAN間欠受信クロック生成部４３からのE-UTRAN間欠受信クロックに基づいて、E-UTRANの着信監視のための間欠起床を行う。ステップＳ５３において、通信系制御部３９ａのE-UTRAN L1部は、無線送受信部３２および信号処理部３３を制御し、E-UTRAN間欠受信を行う。このとき、通信系制御部３９ａのE-UTRAN L1部は、E-UTRAN無線フレーム境界に対する1x CSアクセス網無線フレームの相対差（T_offset）を測定し、δdriftを計算しておく。
【００５１】
ステップＳ５４において、通信系制御部３９ａのE-UTRAN L1部は、E-UTRAN間欠起床を実施した際にΔ^にδdriftを加算（インクリメント）する（すなわち、今回のE-UTRAN間欠受信時におけるΔ^=前回のE-UTRAN間欠受信時におけるΔ^+δdrift）。ステップＳ５５において、通信系制御部３９ａのE-UTRAN L1部は、1x CSアクセス網との同期を取得するかどうかを判断する。具体的には、通信系制御部３９ａのE-UTRAN L1部は、Δ^が1x CSアクセス網との同期を取得する同期ウィンドウの例えば８割に到達したか否かを判定する。なお、ステップＳ５５の判定処理においては、Δ^が同期ウィンドウに外れてしまった場合には1x CSアクセス網との同期が外れてしまい、1x CSアクセス網との同期が維持できなくなることから、同期ウィンドウサイズの或る程度少ない値をしきい値として同期取得を判断する。勿論、このような場合に限られず、Δ^が1x CSアクセス網との同期を取得する同期ウィンドウの例えば７割などに到達したか否かを判定するようにしてもよい。
【００５２】
ステップＳ５５において通信系制御部３９ａのE-UTRAN L1部が、Δ^が1x CSアクセス網との同期を取得する同期ウィンドウの８割に到達したと判定した場合、通信系制御部の1x CSアクセス網L1部は、通信系制御部３９ａのE-UTRAN L1部の指示に従い、1x CSアクセス網同期取得起床を行う。ステップＳ５７において、通信系制御部３９ａの1x CSアクセス網L1部は、無線送受信部３２および信号処理部３３を制御し、1x CSアクセス網基地局BSから送られてくる無線フレームの同期を取得し、同期フレーム（1x CSアクセス網の場合、Sync channelの無線フレーム）を取得する。これにより、1x CSアクセス網との同期を維持することができる。
【００５３】
ステップＳ５８において、通信系制御部３９ａのE-UTRAN L1部は、E-UTRAN無線フレームと1x CSアクセス網同期チャネルフレームとのオフセットT_offsetを補正・更新する。ステップＳ５９において、通信系制御部３９ａの1x CSアクセス網L1部は、無線送受信部３２および信号処理部３３を制御し、1x CSアクセス網用の回路を停止するとともに、通信系制御部３９ａの1x CSアクセス網L1部はSleepする。ステップＳ６０において、通信系制御部３９ａのE-UTRAN L1部は、先ほどの処理でδdriftが補正されたため、Δ^をリセットする（Δ^=0）。ステップＳ６１において、通信系制御部３９ａのE-UTRAN L1部は、E-UTRANから指定される間欠受信周期（DRXE-UTRAN）を用いてE-UTRAN間欠受信用タイマを設定する。ステップＳ６２において、時計回路４７は、設定されたE-UTRAN間欠受信用タイマのカウント動作を開始する。ステップＳ６３において、通信系制御部３９ａのE-UTRAN L1部は、無線送受信部３２および信号処理部３３を制御し、E-UTRAN用の回路を停止するとともに、通信系制御部３９ａのE-UTRAN L1部はSleepする。
【００５４】
一方、ステップＳ５５において通信系制御部３９ａのE-UTRAN L1部が、Δ^が1x CSアクセス網との同期を取得する同期ウィンドウの８割に到達していないと判定した場合、通信系制御部３９ａのE-UTRAN L1部は1x CSアクセス網の同期を取得しなくてもよいと判断し、1x CSアクセス網との同期を取得せず、処理はステップＳ６１に進み、E-UTRAN側だけで間欠受信処理を終了し、E-UTRAN用の回路を停止するとともに、通信系制御部３９ａのE-UTRAN L1部はスリープする。なお、この場合、Δ^が1x CSアクセス網との同期を取得する同期ウィンドウの８割に到達していないと判定されていることから、Δ^が1x CSアクセス網との同期を取得する同期ウィンドウの８割に到達していないと判定されるまでステップＳ５４においてδdriftの加算処理が繰り返し実行される。
【００５５】
本発明の実施形態においては、1x CSアクセス網側の同期起床タイミングを生成するために1x CSアクセス網側へのカウンタを持っておく必要がない。そのため、移動無線端末１の構成をより簡素化することができる。その上、1x CSアクセス網側の同期が必要であると判断されるまで1x CSアクセス網用の回路を停止することができるので、移動無線端末１の低消費電力化を図ることができる。
【００５６】
なお、無線送受信部３２が1xCSアクセス網とE-UTRANとで共通化されている移動無線端末の構成の場合、1x CSアクセス網の同期取得のための処理をE-UTRANの間欠起床に引き続いて実施させることもできる。図１５に示されるように、E-UTRANの間欠起床と1x CSアクセス網の同期取得のための処理を１回の無線送受信部３２の起動により実現することができる。これにより、無線送受信３２の起動に伴う電力消費を削減することができる。
【００５７】
なお、本発明の第２実施形態においては、E-UTRAN基地局間で基地局間同期がとれており、かつ、1x CSアクセス網基地局間でも基地局間同期がとれているが、E-UTRANと1x CSアクセス網とで保持するクロックが異なることに起因するシステム間の無線フレームのドリフトが存在する場合を前提とした。そのため、移動無線端末１が待ち受けるE-UTRAN基地局が変化（リセレクション）したとしても、E-UTRAN待ち受け時に一度ドリフト量を測定しておくことで同じドリフト量を推定して使用することができる。
【００５８】
一方、ある移動体通信網の基地局間で同期が取れていないシステムをCS系のアクセス網として適用する場合、例えばUTRAN(WCDMAシステム)の場合には前述の内容が適用できない。しかし、この場合には、例えば図１６に示されるように、同期を取得する対象となるUTRAN基地局が切り替わった度に（すなわちUTRAN基地局毎に）、図１２乃至図１４を用いて説明したドリフト量を算出することでUTRANとの同期を取得するようにしてもよい。さらに、E-UTRAN側でマルチキャストをしない場合にはE-UTRAN側が基地局間で同期を取らない構成をとっておくことができるが、この場合にも基地局毎にドリフトを計算しておくことでCS系のアクセス網との同期を取得することができる。
【００５９】
［第３実施形態］
図１７は、本発明の第３実施形態に係る、E-UTRANと1x CSアクセス網とで別々の無線送受信部３２−１と３２−２および信号処理部３３−１と３３−２をもつ移動無線端末１の構成を示している。図１７に示される移動無線端末１の場合、E-UTRANと1x CSアクセス網の処理を同時に処理することができる。例えば図１８に示されるように、E-UTRANの間欠受信処理中に1x CSアクセス網の同期取得処理を実施することができる。これにより、1x CSアクセス網側の同期を取得したいタイミングで同期取得処理を実施することができ、1x CSアクセス網の発着信処理についてもE-UTRANの無線送受信部３２−１および信号処理部３３−１の処理を待たずに開始することができるため、処理時間をさらに短縮することができる。
【００６０】
また、本発明の実施形態において説明した一連の処理は、ソフトウェアにより実行させることもできるが、ハードウェアにより実行させることもできる。
【００６１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００６２】
【図１】CS Fallback機能を有するEPSの概略を示す図。
【図２】E-UTRAN基地局で待ち受けていた移動無線端末がCS着信を受けて、UTRANまたはGERAN側に対して接続する際のシーケンスを示す図。
【図３】移動無線端末がE-UTRANで待ち受けている場合に1x CSアクセス網に対して発信する際の移動無線端末とEPSの各構成間の処理のシーケンスを示す図。
【図４】移動無線端末がE-UTRANで待ち受けている場合に1x CSアクセス網からの着信を処理する際の移動無線端末とEPS各構成間の処理のシーケンスを示す図。
【図５】CS着信の通知（Paging）を受けた場合における移動無線端末側の時系列的な処理を示す図。
【図６】本発明の第１の実施形態に係る移動無線端末の内部の構成を示すブロック図。
【図７】図６の移動無線端末における、E-UTRANで待ち受けている場合での1x CSアクセス網同期取得動作を示す図。
【図８】図６の移動無線端末における、E-UTRANで待ち受けている場合での1x CSアクセス網同期取得動作をさらに説明するフローチャート。
【図９】1x CSアクセス網との同期維持のための起床間隔が適宜変更される場合での、図６の移動無線端末におけるE-UTRANで待ち受けているときの1x CSアクセス網同期取得動作の詳細を説明するフローチャート。
【図１０】E-UTRANで待ち受けている場合に、CS着信の通知（Paging）を受けた場合における移動無線端末側の時系列的な処理を示す図。
【図１１】本発明の第２の実施形態に係る移動無線端末１の内部の構成を示すブロック図。
【図１２】E-UTRANの無線フレームと1x CSアクセス網の無線フレームの関係を示す図。
【図１３】E-UTRANと1x CSアクセス網間の無線フレームオフセットおよびドリフト量の具体的な計測方法を説明する説明図。
【図１４】図６の移動無線端末におけるE-UTRANで待ち受けているときのE-UTRAN間欠受信動作の詳細を説明するフローチャート。
【図１５】時間的に連続して行われるE-UTRANの間欠起床と1x CSアクセス網の同期取得のための処理を示す図。
【図１６】同期を取得する対象となるUTRAN基地局が切り替わった度に行われるドリフト量の算出方法を示す図。
【図１７】本発明の第３実施形態に係る、E-UTRANと1x CSアクセス網とで別々の無線送受信部とおよび信号処理部をもつ移動無線端末の構成を示すブロック図。
【図１８】E-UTRANの間欠受信処理中に実施される1x CSアクセス網の同期取得処理を示す図。
【符号の説明】
【００６３】
１…移動無線端末、３１（３１−１乃至３１−２）…アンテナ、３２（３２−２乃至３２−２）…無線送受信部、３３（３３−１乃至３３−２）…信号処理部、３４…ＰＣＭコーデック、３５…受話増幅器、３６…スピーカ、３７…送話増幅器、３８…マイクロホン、３９…制御部、４０…記憶部、４１…操作部、４２…表示部、４３…E-UTRAN間欠受信クロック生成部、４４…CS系アクセス網方式同期処理クロック生成部、４５…バッテリ、４６…電源回路、４７…時計回路。
【図１】
2010063014.tif 000004
【図２】
2010063014.tif 000005
【図３】
2010063014.tif 000006
【図４】
2010063014.tif 000007
【図５】
2010063014.tif 000008
【図６】
2010063014.tif 000009
【図７】
2010063014.tif 000010
【図８】
2010063014.tif 000011
【図９】
2010063014.tif 000012
【図１０】
2010063014.tif 000013
【図１１】
2010063014.tif 000014
【図１２】
2010063014.tif 000015
【図１３】
2010063014.tif 000016
【図１４】
2010063014.tif 000017
【図１５】
2010063014.tif 000018
【図１６】
2010063014.tif 000019
【図１７】
2010063014.tif 000020
【図１８】
2010063014.tif 000021